(57)【要約】【課題】  筺体の一部に取り付けた冷却ファンに依存することなく、ディスク媒体が回転することによって発生する空気流を利用して、空気流が効率よく装置の内部および外部を通過するためのディスクドライブを有する電子機器の放熱構造を提供する。【解決手段】  ディスク周辺の外装部材にディスクの略外周に沿った形状の空気孔を配置し、電子機器内部の空気を電子機器外部に放出する。それにより、ディスクの回転で発生する空気流が効率良く装置の内部を通過するため、有効な放熱構造が可能となる。【選択図】  図３
2007226858.tif 000002
【特許請求の範囲】
【請求項１】
ディスクを回転させて記録再生するディスクドライブを有する電子機器であって、前記ディスクに対向する外装部材に前記ディスクの略外周に沿った円弧形状の空気孔を配置し、前記電子機器内部の空気を外部に放出することを特徴とする電子機器。
【請求項２】
ディスクを回転させて記録再生するディスクドライブを有する電子機器であって、前記ディスクに対向する外装部材に前記ディスクの略回転中心に空気孔を配置し、前記電子機器外部の空気を内部に吸気することを特徴とする電子機器。
【請求項３】
前記外装部材はディスク蓋であることを特徴とする請求項１または２に記載の電子機器。
【請求項４】
前記円弧形状の空気孔は断面がスロープ形状であることを特徴とする請求項１に記載の電子機器。
【発明の詳細な説明】
【技術分野】
【０００１】
本発明はディスクドライブを有する電子機器の放熱構造に関するものである。
【背景技術】
【０００２】
従来、ディスクドライブを有する電子機器において、電子部品の発熱に対して、筐体の一部に取り付けた冷却ファンによって、冷却用空気を電子機器の外部から内部に強制的に導入し、冷却を行っていた。
【０００３】
しかし、上述した構造の場合、冷却ファンによる騒音や消費電力が大きくなり、また装置の大型化という問題が生じていた。
【０００４】
その問題を解決した例として、ディスク自体を冷却ファンとみなしたディスク媒体駆動部を有する電子部品の冷却構造が開示されている。（例えば、特許文献１参照）
図１０に示すように、ディスク媒体駆動部を有する電子装置本体１０１は、ディスク媒体１０８（図１１に図示）を回転させ、回転中にディスク媒体１０８の記録内容を読み取るディスク媒体駆動部１０５を内蔵する。ディスク媒体１０８を収納可能な装置本体の内部には、ディスク媒体１０８の回転中心方向に向かって装置外部からの空気を案内する案内部１０６を形成させる。ディスク媒体１０８が回転する際にディスク媒体駆動部１０５との間で発生する負圧を利用して案内部１０６に冷却用空気を導入し、冷却用空気の導風路途上に配置された電子部品（ピックアップ）１０７を冷却することを特徴としている。
【０００５】
図１１の装置の断面概念図に示すように、装置本体１０１に空気導入孔１０４を設け、ディスク上カバー１０２に空気導出孔１０３を設ける。そうすることで、ディスク媒体１０８の回転と同時に空気の流出入が生じ、矢印に示す空気流の経路が形成され、空気流の経路上に存在する電子部品（ピックアップ）１０７を冷却する構造となっている。
【特許文献１】特開２０００−１７３２５９
【発明の開示】
【発明が解決しようとする課題】
【０００６】
しかしながら、上記従来例においては、図１０に示すように、ディスク上カバー１０２に設けた空気導出孔１０３はディスク媒体１０８直近の側壁面に配置されているため、放熱性としての効果は高いが、装置本体１０１内部にゴミや塵が入りやすい。また、ディスク情報の読み取りと書き込みの際に発せられるレーザー光が空気導出孔１０３から漏れてしまう問題が生じた。
【０００７】
本発明は、上述した問題点を解消し、ディスクドライブを有する電子機器における放熱構造を提供することを目的としたものである。
【課題を解決するための手段】
【０００８】
本発明の電子機器は、ディスクに対向する外装部材に前記ディスクの略外周に沿った円弧形状の空気孔を配置し、電子機器内部の空気を外部に放出することを特徴としている。
【０００９】
また、本発明の電子機器の他の特徴とするところは、ディスクに対向する外装部材に前記ディスクの略回転中心に空気孔を配置し、前記電子機器外部の空気を内部に吸気することを特徴としている。
【００１０】
また、本発明のその他の特徴とするところは、前記外装部材はディスク蓋であることを特徴としている。
【００１１】
また、本発明のその他の特徴とするところは、前記円弧形状の空気孔は断面がスロープ形状であることを特徴としている。
【発明の効果】
【００１２】
以上説明したように、本発明のディスクドライブを有する電子機器は、別途筺体の一部に取り付けた冷却ファンに依存することなく、ディスク媒体が回転することによって発生する空気流を利用する。第１の実施形態では電子機器装置内部から外部へ空気流の流れが生じ、第２の実施形態では電子機器装置外部から内部へ空気流の流れが生じる。このように空気流が有効に装置内部を循環するため、冷却ファンで生じる騒音を回避することができるとともに、装置自体の小型化、軽量化、コストダウンを図ることができ、電子機器装置内部の発熱源からの熱を有効に放熱することが可能となる。
【００１３】
また、ディスク上カバーを二体化することで、防塵の役割とレーザー光漏れ防止の役割を担い、有効に放熱することが可能となる。
【発明を実施するための最良の形態】
【００１４】
以下に本発明の実施形態を図１〜図９に基づいて説明する。本発明の実施形態は、ディスクドライブを有する電子機器の具体的な例として、ディスクドライブを備えた撮像装置に適用したもので説明する。
【００１５】
まず、図１（ａ）（ｂ）に基づいてディスクの回転により発生する空気流の原理を簡単に説明する。図１（ａ）に示すように、ディスクが回転すると、遠心力の作用によりディスクの中心付近は負圧となり、下向きの流れが生じ、外周側にいくにつれて外向きの流れが生じる。図１（ｂ）に示すように、ディスクを上面から見ると、略同心円回転の矢印のような空気の流れになる。
【００１６】
図２は、本発明の実施形態のディスクドライブを備えた撮像装置の外観構成を示す斜視図である。
【００１７】
図２において、撮像装置本体１０の内部には、撮像レンズ、撮像素子、回路基板（いずれも図示せず）、ディスク駆動装置１７（図２では図示せず）が構成されている。ディスクを収納する側には、ディスク上１カバー１１とディスク上２カバー１２と、ディスク下カバー１３が構成され、ディスク上１カバー１１とディスク上２カバー１２の間には空気孔１４が構成されている。
【００１８】
本発明に係る第１の実施形態について説明する。図３にディスク上１カバー１１とディスク上２カバー１２を開けた状態を示す。図３において、空気孔１５を設けたディスク上１カバー１１は図のように回動可能であり、ディスク１６を取り外すことができる。図５（ａ）に示すように、ディスク上１カバー１１にはディスク１６の外周に沿って図のように円弧状に空気孔１５が配置されている。
【００１９】
ディスク上１カバー１１とディスク上２カバー１２は例えば熱溶着により固定されている。ディスク上２カバー１２は、空気孔１５から撮像装置本体１０内部にゴミや塵が入らないよう防塵の役割と、ディスク情報の読み取りと書き込みの際に発せられるレーザー光の漏れを防止する役割と、デザイン上のアクセントとして化粧カバーとしての役割がある。
【００２０】
次に、上述した構成における放熱作用について説明する。具体的には、装置の断面を示した図４に概念的に矢印で示した空気の流れが形成される。即ち、ディスク１６が回転することによって、遠心力の作用により外周側にいくにつれて外向きの流れが生じる。そのため、撮像装置内部の空気がディスク上１カバー１１に設けた空気孔１５、ディスク上１カバー１１とディスク上２カバー１２の空間、ディスク上１カバー１１とディスク上２カバー１２の間に設けた空気孔１４の順で経由して流れる。図１（ａ）（ｂ）に示したが、ディスク１６が回転すると、空気流はディスク１６に対して略径方向に向けて空気流は発生する。ディスク上１カバー１１にはディスク１６の外周に沿って図のように円弧状に空気孔１５が設けられているため、装置内部で温められた空気が有効に外部に放出されることで有効な放熱効果が得られる。
【００２１】
ここで、空気孔形状について言及する。例えば、図５（ｂ）に示すように、ディスク上１ａカバー１１ａにディスク１６に対して放射状に空気孔１５と同程度の面積の空気孔１５ａを配置した場合、解析上（空気孔形状の違い以外は解析条件は同じ）、空気孔１５ａを通り抜ける流量は２９６ｃｍ３／ｓであった。それに対して、空気孔１５を通り抜ける流量は３２５ｃｍ３／ｓであり、ディスク上１カバー１１にはディスク１６の外周に沿って円弧状に空気孔１５を設ける方が、より有効な空気の流れが得られることがわかる。これは、ディスク１６が回転し発生する空気流が、略同心円回転の流れであることから、ディスク上１カバー１１に設けた空気孔１５のように、ディスク１６の外周に沿ってディスク１６に対して略同心円状に孔を設けた方が有効に空気が流れることを示している。それゆえ、空気孔１５は空気孔１５ａと比較し効率の良い放熱が可能である。
【００２２】
また、上述した空気孔１５のように単純に上下に切り抜いた断面形状に限定せず、例えば、図６に示すスロープ形状のような空気孔断面１８にする。そうすることで、ディスクの回転により生じた外向きの流れ（略径方向の流れ）が、より空気孔を通過し易くなり、さらに効果的な放熱をすることが可能となる。
【００２３】
次に、本発明に係る第２の実施形態について説明する。図７にディスク上１ｂカバー１１ｂとディスク上２カバー１２を開けた状態を示す。図７において、ディスク上１ｂカバー１１ｂは図のように開閉可能であり、ディスク１６を取り外すことができる。ディスク上１ｂカバー１１ｂには空気孔１５ｂが設けられている。図９に示すように、ディスク上１ｂカバー１１ｂにはディスク１６の略中心付近に図のように略円形状に空気孔１５ｂが配置されている。
【００２４】
上述した構成における放熱作用について説明する。具体的には、装置の断面を示した図８に概念的に矢印で示すような空気の流れが形成され、第１の実施形態の空気の流れと逆向きの流れが形成される。即ち、ディスク１６が回転することによって、遠心力の作用によりディスク１６の中心付近は負圧となり、下向きの流れが生じる、そのため、撮像装置外部の空気がディスク上１ｂカバー１１ｂとディスク上２カバー１２の間に設けた空気孔１４、ディスク上１ｂカバー１１ｂとディスク上２カバー１２の空間、ディスク上１ｂカバー１１ｂに設けた空気孔１５ｂの順で経由して流れる。図１（ａ）（ｂ）に示したが、ディスク１６が回転すると、遠心力の作用によりディスク１６の中心付近は負圧となり、下向きの空気の流れが生じる。ディスク上１ｂカバー１１ｂにはディスク１６の略中心付近に略円形状に空気孔１５ｂが設けられているため、装置外部の新鮮な空気が有効に装置内部に吸気されることで有効な放熱効果が得られる。第１の実施形態と全く逆の空気の流れであるが、第１の実施形態と同様に有効な放熱効果が可能となる。
【００２５】
以上、本発明の実施形態について説明したが、本発明は上記の実施形態に何ら限定されるものではなく、本発明の要旨を逸脱しない範囲内で適用可能である。
【図面の簡単な説明】
【００２６】
【図１】ディスクの回転で生じる空気流の概念断面図（ａ）と概念上面図（ｂ）である。
【図２】本発明に係る実施形態であるディスクドライブを備えた撮像装置の外観構成を示す斜視図である。
【図３】本発明に係る第１の実施形態の撮像装置の外観構成を示す斜視図である。
【図４】本発明に係る第１の実施形態の撮像装置断面の概念図である。
【図５】ディスク上１カバーの上面図（ａ）とディスク上１ａカバーの上面図（ｂ）である。
【図６】第１の実施形態での空気孔断面（スロープ形状）である。
【図７】本発明に係る第２の実施形態の撮像装置の外観構成を示す斜視図である。
【図８】本発明に係る第２の実施形態の撮像装置断面の概念図である。
【図９】ディスク上１ｂカバーの上面図である。
【図１０】従来の発明に係る装置の外観構成を示す斜視図である。
【図１１】従来の発明に係る装置の断面概念図である。
【符号の説明】
【００２７】
１０  撮像装置本体
１１  ディスク上１カバー
１１ａ  ディスク上１ａカバー
１１ｂ  ディスク上１ｂカバー
１２  ディスク上２カバー
１３  ディスク下カバー
１４  空気孔
１５、１５ａ、１５ｂ  空気孔
１６、１０８  ディスク
１７  ディスク駆動装置
１８  空気孔断面（スロープ形状）
１０１  装置本体
１０２  ディスク上カバー
１０３  空気導出孔
１０４  空気導入孔
１０５  ディスク駆動装置
１０６  案内部
１０７  電子部品（ピックアップ）
【図１】
2007226858.tif 000003
【図２】
2007226858.tif 000004
【図３】
2007226858.tif 000005
【図４】
2007226858.tif 000006
【図５】
2007226858.tif 000007
【図６】
2007226858.tif 000008
【図７】
2007226858.tif 000009
【図８】
2007226858.tif 000010
【図９】
2007226858.tif 000011
【図１０】
2007226858.tif 000012
【図１１】
2007226858.tif 000013